【手続補正書】
【提出日】平成16年10月7日(2004.10.7)
【手続補正１】
【補正対象書類名】明細書
【補正対象項目名】特許請求の範囲
【補正方法】変更
【補正の内容】
【特許請求の範囲】
【請求項１】
被験体を保持する保持手段と、相対変位自在に設けられた上記保持手段を衝突体に導くガイド体とを有し、上記被験体を上記衝突体に対して相対変位させて衝突させることにより、上記被験体に衝撃を与える衝撃試験装置において、
上記保持手段は、上記被験体が上記衝突体と衝突した時点で上記保持を解除する保持手段であることを特徴とする衝撃試験装置。
【請求項２】
上記保持手段は、被験体が変位する方向と直交する方向に離間対向して設けられた対向部材と、この対向部材に取り付けられ、固定アームとこの固定アームに回動自在に連結された回動アームとからなる係止手段とから構成されており、この回動アームの先端が上記被験体に点接触するように設けられていることを特徴とする請求項１記載の衝撃試験装置。
【請求項３】
上記保持手段は、被験体が変位する方向と直交する方向に離間対向して設けられた対向部材と、この対向部材に取り付けられ、固定アームとこの固定アームに回動自在に連結された回動アームとからなる係止手段とから構成されており、この回動アームの先端が上記被験体に線接触するように設けられていることを特徴とする請求項１記載の衝撃試験装置。
【請求項４】
上記係止手段は、上記固定アームと上記回動アームが伸長した状態で上記被験体を保持し、この場合に伸長した状態から回動アームが下方へ回動するのを規制する規制手段を具備することを特徴とする請求項２または請求項３記載の衝撃試験装置。
【請求項５】
上記係止手段は、上記対向部材への取付け位置が調整可能であることを特徴とする請求項２ないし請求項４のいずれかに記載の衝撃試験装置。
【請求項６】
上記係止手段は、上記対向部材からの取付け長さを調整可能としていることを特徴とする請求項２ないし請求項５のいずれかに記載の衝撃試験装置。
【請求項７】
上記ガイド体の近傍には、上記衝突体に対して上記被験体を衝突させた後に、上記スライド体の運動エネルギを吸収するための衝撃吸収手段が設けられていることを特徴とする請求項１ないし請求項６のいずれかに記載の衝撃試験装置。
【請求項８】
被験体を保持する保持手段と、相対変位自在に設けられた上記保持手段を衝突体に導くガイド体とを有し、上記被験体を上記衝突体に対して相対変位させて衝突させることにより、上記被験体に衝撃を与える衝撃試験方法において、
上記被験体が上記衝突体と衝突した時点で上記保持を解除することを特徴とする衝撃試験方法。
【手続補正２】
【補正対象書類名】明細書
【補正対象項目名】０００２
【補正方法】変更
【補正の内容】
【０００２】
【従来の技術】
従来、例えば製品や粒状物、顆粒物などの被験体に生じる衝撃を測定するためには、人手でこの被験体を保持して所定の高さに持ち上げ、この後に保持を解いて被験体を自由落下させ、衝突体である衝撃台などに衝突させて行っていた。
【手続補正３】
【補正対象書類名】明細書
【補正対象項目名】００１０
【補正方法】変更
【補正の内容】
【００１０】
上記課題を解決するために、請求項１記載の発明は、被験体を保持する保持手段と、相対変位自在に設けられた上記保持手段を衝突体に導くガイド体とを有し、上記被験体を上記衝突体に対して相対変位させて衝突させることにより、上記被験体に衝撃を与える衝撃試験装置において、上記保持手段は、上記被験体が上記衝突体と衝突した時点で上記保持を解除する保持手段であることを特徴とする衝撃試験装置である。
【手続補正４】
【補正対象書類名】明細書
【補正対象項目名】００１１
【補正方法】変更
【補正の内容】
【００１１】
請求項２記載の発明は、上記保持手段は、被験体が変位する方向と直交する方向に離間対向して設けられた対向部材と、この対向部材に取り付けられ、固定アームとこの固定アームに回動自在に連結された回動アームとからなる係止手段とから構成されており、この回動アームの先端が上記被験体に点接触するように設けられていることを特徴とする請求項１記載の衝撃試験装置である。
【手続補正５】
【補正対象書類名】明細書
【補正対象項目名】００１２
【補正方法】変更
【補正の内容】
【００１２】
請求項３記載の発明は、上記保持手段は、被験体が変位する方向と直交する方向に離間対向して設けられた対向部材と、この対向部材に取り付けられ、固定アームとこの固定アームに回動自在に連結された回動アームとからなる係止手段とから構成されており、この回動アームの先端が上記被験体に線接触するように設けられていることを特徴とする請求項１記載の衝撃試験装置である。
【手続補正６】
【補正対象書類名】明細書
【補正対象項目名】００１６
【補正方法】変更
【補正の内容】
【００１６】
請求項７記載の発明は、上記ガイド体の近傍には、上記衝突体に対して上記被験体を衝突させた後に、上記スライド体の運動エネルギを吸収するための衝撃吸収手段が設けられていることを特徴とする請求項１ないし請求項６のいずれかに記載の衝撃試験装置である。
【手続補正７】
【補正対象書類名】明細書
【補正対象項目名】００１７
【補正方法】変更
【補正の内容】
【００１７】
請求項８記載の発明は、被験体を保持する保持手段と、相対変位自在に設けられた上記保持手段を衝突体に導くガイド体とを有し、上記被験体を上記衝突体に対して相対変位させて衝突させることにより、上記被験体に衝撃を与える衝撃試験方法において、上記保持手段は、上記被験体が上記衝突体と衝突した時点で上記保持を解除することを特徴とする衝撃試験方法である。
【手続補正８】
【補正対象書類名】明細書
【補正対象項目名】００１８
【補正方法】変更
【補正の内容】
【００１８】
請求項１、請求項８の発明によると、上記被験体が上記衝突体と衝突した時点で被験体に対する保持を解除するため、上記衝突体への上記被験体の衝撃試験を所望の姿勢を維持して行うことが可能となっている。また、上記被験体が上記衝突体と衝突した時点で上記保持を解除する構成であるため、衝突時には上記被験体に外力による影響がほとんど作用せず、よって衝撃試験を再現性が高く、定量的に行うことが可能となっている。
【手続補正９】
【補正対象書類名】明細書
【補正対象項目名】００１９
【補正方法】変更
【補正の内容】
【００１９】
請求項２の発明によると、上記保持手段は、被験体が変位する方向と直交する方向に離間対向して設けられた対向部材と、この対向部材に取り付けられ、固定アームとこの固定アームに回動自在に連結された回動アームとからなる係止手段とから構成されており、この回動アームの先端が上記被験体に点接触するように設けられているため、被験体が上記衝突体に衝突して上記回動アームの先端が、被験体の保持状態から開放する場合に、上記被験体につっかえて妨げとなることがない。
【手続補正１０】
【補正対象書類名】明細書
【補正対象項目名】００２４
【補正方法】変更
【補正の内容】
【００２４】
また、このように対向部材からの取付け長さを調整することで、上記被験体の取付け姿勢を所望の姿勢に調達することも可能となっている。
請求項７の発明によると、上記ガイド体の近傍には、この衝突体に対して上記被験体を衝突させた後に、上記スライド体の運動エネルギを吸収するための衝撃吸収手段が設けられているため、上記スライド体の損傷を防止することが可能となっている。
【手続補正１１】
【補正対象書類名】明細書
【補正対象項目名】００４０
【補正方法】変更
【補正の内容】
【００４０】
なお、上記爪部２１は、本実施の形態では、それぞれの突出部材１９に２本ずつ配置された構成となっている。
上記基台１２には、衝突体としての衝撃台３１が取付けられている。上記衝撃台３１は、上記ガイド体１５の下端側に位置しており、上面が上記被験体２７よりも面積が大きく、かつ平板状に形成されたものとなっていて、被験体２７をこの上面で衝突させることが可能となっている。